(57)【要約】本発明は手首バンドに関し、分吸収剤を収容する複数の吸収剤袋を形成する、手首に取り付ける円筒状のバンド本体と；互いに隣接する前記１対の吸収剤袋を弾性的に連結する少なくとも１つ以上の弾性バンドと；前記バンド本体の内部に収容される水分吸収剤化合物とを含むことを特徴とする。本発明の手首バンドを着用することにより、手首を締めて圧迫する単純な物理的役割の他に、運動効果を高める効果があり、また、水分吸収剤による体温調節及び温湿布効果も得られる。さらに、体から発生する汗の吸収がよくて運動時のタオルとしても使用可能である。【選択図】図１
2009536071.tif 000002
【特許請求の範囲】
【請求項１】
手首バンドにおいて、
水分吸収剤を収容する吸収剤袋が手首の長手方向に裁縫により分割形成された円筒状のバンド本体と；
前記バンド本体の内部に収容される水分吸収剤化合物と；
前記バンド本体に弾力性を加える少なくとも１つ以上の弾性バンドとを含むことを特徴とする手首バンド。
【請求項２】
前記水分吸収剤は、アクリレートコポリマー（acrylate copolymer）を主成分とする化合物であることを特徴とする請求項１に記載の手首バンド。
【請求項３】
前記バンド本体は、通気性があり、汗を吸収できる布で形成することを特徴とする請求項１又は請求項２に記載の手首バンド。
【請求項４】
前記弾性バンドは、伸縮性を有する布やゴムで形成することを特徴とする請求項１又は請求項２に記載の手首バンド。
【請求項５】
水分吸収剤を収容する円筒状のバンド本体は、手首の長手方向に裁縫により分割形成されることを特徴とする請求項１又は請求項２に記載の手首バンド。
【請求項６】
水分吸収剤を収容する円筒状のバンド本体は、手首の長手方向と垂直の横方向に裁縫により分割形成されることを特徴とする請求項１又は請求項２に記載の手首バンド。
【請求項７】
水分吸収剤を収容する円筒状のバンド本体は、手首の長手方向と、手首の長手方向垂直の横方向に裁縫により分割形成されることを特徴とする請求項１又は請求項２に記載の手首バンド。
【発明の詳細な説明】
【技術分野】
【０００１】
本発明は手首バンドに関するもので、より詳細には、汗を吸収し、あらかじめ適正な温度の水を本発明の手首バンドに含ませることにより、使用者の体温を調節することができると同時に、含有水分の重量を利用して運動効果を高めることができる手首バンドに関する。
【背景技術】
【０００２】
一般的に手首バンドは、手首を多く使う運動をするときや、手首を怪我したときに、手首を固定したり、手首を保護するために手首に着用する。
【０００３】
このような用途として、従来の手首バンドは、通常、所定の幅を有して手首を覆うバンド本体と、前記バンド本体の両端部にそれぞれ付着された一対のベルクロテープとで構成されている。
【０００４】
このような従来の手首バンドは、バンド本体の一側端を手首の関節部位に当てて押した状態で他の一側端を引っ張って巻いた後、前記バンド本体の両端のベルクロテープが互いに重畳するようにして手首に着用した。
【０００５】
しかし、従来の手首バンドは、バンド本体を手首の関節部位に当てて押した状態でバンド本体の両端のベルクロテープが互いに重畳するように他端を引っ張って着用するので、片手で着用することが難しく、使用上の不便さがあるという問題点がある。
【０００６】
さらに、従来の手首バンドは、着用したときにバンド本体が手首部位を単に圧迫するか、外部衝撃をある程度吸収する機能をするものがほとんどであった。
【０００７】
一方、最近ではウェルビングブームとともに健康への関心が高まり、強いパワーをつけることができるエアロビクスのような運動をする人が増えてきている。
【０００８】
特に、エアロビクスの際に、鉄アレイを使ったり砂袋を手首につける等して、腕の筋力及び運動効果の向上のために腕に重りをつけることが多くなっている。
【０００９】
しかし、鉄アレイを利用してエアロビクスをする場合、鉄アレイを握った状態で運動をするため、運動の範囲が制限されたり、場合によっては、鉄アレイを落として怪我をしたり、手のひらにたこができる等の副作用がある。
【００１０】
また、手首に砂袋をつけてエアロビクスをする場合、運動中に発生する汗が砂袋に吸収されず、手首の皮膚が損傷する等の不具合が頻繁に発生した。そこで本発明は、以上のような不具合を防止すると同時に、スポーツタオルとしての役割もする。
【発明の開示】
【発明が解決しようとする課題】
【００１１】
そこで、本発明は、使用者の体温を調節できると同時に、含有水分による重量を利用して運動効果を高めることができ、さらに、手首の保護機能も有する手首バンドを提供する。
【００１２】
本発明の手首バンドの内部に収容される水分吸収剤化合物は、多量の水分を吸収することができる。即ち、水分吸収剤は、乾燥しているときは体積が小さいが、水分を吸収すると体積が膨張する。
【００１３】
本発明は、使用者の体温を低下させる必要があるときや、体を涼しくするときに便利に使用できる。即ち、使用者の体温より低い温度の水を本発明の手首バンド内の水分吸収剤に充分に吸収させて手首に着用すれば、体温の高熱が手首バンドに伝達され、熱伝達による体温調節の効果をもたらす。
【００１４】
このような本発明による体温調節は、熱伝達の面で既存の製品に比べて、物理的側面で大きなメリッがある。即ち、既存のビニルパックのように密閉状態で体温調節を行う場合は、単に熱伝達による体温調節の効果のみを提供する。しかし、本発明は、このような熱伝達のみならず、水分蒸発による蒸発熱によってより効率的な体温調節が可能となる。
【００１５】
即ち、水分吸収剤内に含まれている水分が蒸発して体温の熱を吸収する物理的現象を利用して、蒸発による熱エネルギーの移動を行うことができるというメリットがある。さらに、これは水と人体との温度差を利用したもので、水が蒸発して乾くまで継続して体温を奪うことにより、使用効果が長時間持続するという特徴を有する。
【００１６】
また、体温調節のために使用される他の製品は、使用者の体に着用するときや使用時に不便がるが、本発明は、体の中で熱に最も敏感な部分の一つである手首に簡単に着用することができるので使用が便利である。
【００１７】
本発明の手首バンドは、体温調節効果のみならず、手首バンドの重量を利用した運動効果も得ることができる。即ち、本発明の手首バンドを着用することにより、手首を締めて圧迫する単純な物理的役割の他に、重量を利用した筋力アップのためにも便利に使用することができる。
【００１８】
また、本発明の手首バンドに収容される水分吸収剤は、多量の水分を吸収することができ、汗を吸収する機能を提供する。即ち、運動時に手首に発生する汗を吸収すると同時に、顔の汗を手首に着用した手首バンドで汗を拭うことができるので、運動時のタオルとしても使用可能である。
【課題を解決するための手段】
【００１９】
上記目的を達成するためになされた本発明による手首バンドは、水分吸収剤を収容する吸収剤袋が手首の長手方向に裁縫により分割形成された円筒状のバンド本体と；前記バンド本体の内部に収容される水分吸収剤化合物と；前記バンド本体に弾力性を加える少なくとも１つ以上の弾性バンドとを含むことを特徴とする。
【００２０】
ここで、前記水分吸収剤は、アクリレートコポリマー（acrylate copolymer）化合物であることが好ましい。
【００２１】
前記バンド本体は、通気性があり、汗を吸収できる布で形成することが好ましい。
【００２２】
前記複数の吸収剤袋は、バンド本体において裁縫により分割形成することが好ましい。即ち、裁縫線によって分離される領域内に吸収剤が位置するような形態に吸収剤袋を構成することが好ましい。
【００２３】
前記裁縫線は、手首の長手方向に形成することが好ましい。即ち、手首の長手方向に裁縫によりバンド本体を分割形成することで、前記各吸収剤袋内の水分吸収剤が一側に偏るのを防止する。前記弾性バンドは、伸縮性のある布地やゴムで形成することが好ましい。
【００２４】
本発明において、水分吸収剤を収容する吸収剤袋は、手首の長手方向（縦方向）に裁縫により分割して形成することができ、さらに、手首の長手方向と垂直の横方向に形成してもよい。
【００２５】
本発明のまた他の実施例としては、前記裁縫線を縦方向及び横方向に同時に形成することも可能である。
【００２６】
本発明のまた他の実施例としては、前記裁縫線は、縦方向または横方向だけでなく、水分吸収剤を分離して収容するために分割される任意の裁縫線により形成することも可能である。
【発明の効果】
【００２７】
本発明は、汗を吸収し、あらかじめ適正な温度の水を本発明の手首バンドに含ませることで、使用者の体温を調節することができると同時に、含有水分の重量を利用して運動効果を高めることができる効果がある。即ち、本発明の手首バンドを着用することにより、手首を締めて圧迫する単純な物理的役割の他に、運動効果を高めることができ、さらに、本発明の手首バンド内に含まれている化合物による水分吸収機能により、体温調節及び温湿布効果も得られる。また、本発明は、体から発生する汗を吸収し、運動時のタオルとしても使用可能である。また、本発明の手首バンドは、弾性力を有する弾性バンドにより円筒状に形成するので、片手で着用できるという効果がある。
【発明を実施するための最良の形態】
【００２８】
以下、添付した図面を参照して本発明の好ましい実施例を詳細に説明する。
【００２９】
本発明の実施例において、第１実施例では、同様の構成要素については同一の参照符号を付して説明し、その他の実施例では、第１実施例と異なる構成要素についてのみ参照符号を付して説明する。
【００３０】
図１は、本発明の第１実施例による手首バンドの斜視図である。図２は、図１の縦断面図である。図示するように、本発明の第１実施例による手首バンド１０は、所定の幅を有して手首Ａに取り付けられる円筒状のバンド本体１１を有する。
【００３１】
バンド本体１１は、通気性があり、汗を吸収する布で形成することが好ましい。
【００３２】
バンド本体１１は、水分吸収剤Ｗを収容する複数の吸収剤袋１５を有している。複数の吸収剤袋１５は、手首Ａの長手方向に裁縫によりバンド本体１１に分割形成されている。これは水分吸収剤Ｗが一側に偏るのを防止する。
【００３３】
各吸収剤袋１５に収容される水分吸収剤Ｗは、水分吸収率の高い化合物であることが好ましい。
【００３４】
各吸収剤袋１５に収容される水分吸収剤Ｗは、アクリレートコポリマー（acrylate copolymer）とソジウムソルト（Sodium salt）が主成分である複合物、又はアクリレートコポリマー（acrylate copolymer）を主成分とする化合物であることが好ましい。
【００３５】
前記水分吸収剤は、乾燥状態では微粒子のような粒状であるが、水分を吸収した状態ではゲル状となり、水分吸収剤は、水分の吸収力が高いと同時に熱保持力に優れている。また、前記水分吸収剤は、水分を吸収することによって重量が増加し、反対に乾燥すると重量が減少する特性を有する。
【００３６】
このような水分吸収剤Ｗは、各吸収剤袋１５に流動可能に収容されて裁縫により密封され、各吸収剤袋１５から流出しなくなる。
【００３７】
一方、本発明の第１実施例による手首バンド１０は、互いに隣接する一対の吸収剤袋１５を弾性的に連結する弾性バンド２１を有する。
【００３８】
弾性バンド２１は、伸縮性のある布やゴムで形成することが好ましい。
【００３９】
弾性バンド２１をバンド本体１１を手首Ａに取り付ける場合、前記弾性バンドが弾力性を提供し、さらに、弾性バンドが弾性変形することによって手首バンドの大きさを可変させて、使用者が便利にバンド本体１１を取り付けることができるようにする役割をする。
【００４０】
以下、このような構成により、本発明の第１実施例による手首バンド１０の使用過程を説明する。図３に示すように、バンド本体１１の内部に手首Ａの関節部位を挿入すると、一対の吸収剤袋１５の間に介在される弾性バンド２１が弾性変形して、バンド本体１１が手首Ａの関節部位に装着される。これによって手首バンド１０を便利に着用することができるようになる。
【００４１】
一方、手首バンド１０を水で濡らすと、各吸収剤袋１５に収容された水分吸収剤Ｗが水分を吸収して手首バンド１０の重量が増加し、これを手首に着用すると、腕にかかる重量も増加するようになる。
【００４２】
次いで、水を吸収した手首バンド１０を着用した状態でエアロビクス等の運動をすると、手首バンド１０が手首Ａを締めて圧迫し、手首Ａを保護すると同時に、腕の筋力をアップさせて運動効果を高めることができる。
【００４３】
また、水分吸収剤Ｗは熱を保存する機能を有しており、体温調節及び温湿布効果も得られる。そして、水分吸収剤Ｗは体から発生する汗を容易に吸収することができ、本発明の手首バンドは運動時のタオルとしても使用することができる。
【００４４】
図４には、本発明の第２実施例による手首バンド１０’が示されている。図示するように、本発明の第２実施例による手首バンド１０’は、前記第１実施例と異なり、一対の弾性バンド２１が設けられている。これにより、本発明の第２実施例による手首バンド１０’は、前記第１実施例に比べて、便利に手首バンド１０’を着用することができる。
【００４５】
また、図５には３つの弾性バンド２１が所定間隔を置いて各吸収剤袋１５の間に形成される本発明の第３実施例による手首バンド１０’’が示されている。
【００４６】
このように、本発明の手首バンドは、水分吸収剤Ｗを収容する複数の吸収剤袋１５を有するバンド本体１１を弾性的に連結する少なくとも１つ以上の弾性バンド２１を円筒状に構成することにより、片手でも簡単に着用することができる。
【００４７】
図６及び図７は、本発明の他の実施例による手首バンドの斜視図である。
【００４８】
本発明の手首バンドにおいて、水分吸収剤を収容する吸収剤袋は、手首の長手方向に裁縫により分割形成することができる。さらに、前記手首の長手方向と直角方向に、裁縫により分割される分割部をさらに構成することも可能である。
【００４９】
前記裁縫線は、縦方向及び横方向に同時に構成することができる。
【００５０】
本発明における前記裁縫線は、縦方向または横方向に形成することもでき、さらに、水分吸収剤を分離して収容するように分割される任意の裁縫線であってもよい。
【００５１】
また、前記実施例において、弾性バンドの数は必要に応じて調整できる。
【００５２】
尚、本発明は、上述の実施例に限られるものではない。本発明の技術的範囲から逸脱しない範囲内で多様に変更実施できることは通常の知識を有する者であれば理解できるであろう。よって、多様な変形例及び改良例は本発明の権利範囲に属するものである。
【図面の簡単な説明】
【００５３】
【図１】本発明の第１実施例による手首バンドの斜視図である。
【図２】図１の縦断面図である。
【図３】図１の使用状態を示す図である。
【図４】本発明の第２実施例による手首バンドの斜視図である。
【図５】本発明の第３実施例による手首バンドの斜視図である。
【図６】本発明の他の実施例による手首バンドの斜視図である。
【図７】本発明のまた他の実施例による手首バンドの斜視図である。
【図１】
2009536071.tif 000003
【図２】
2009536071.tif 000004
【図３】
2009536071.tif 000005
【図４】
2009536071.tif 000006
【図５】
2009536071.tif 000007
【図６】
2009536071.tif 000008
【図７】
2009536071.tif 000009
【国際調査報告】
2009536071.tif 000010
2009536071.tif 000011